(57)【要約】【課題】クリップ本体のデザイン上の制約がなく、製造および組立工程において従来技術よりも手間を軽減し、折れにくく、挟み込む力を強化可能な筆記具用のクリップを提供する。【解決手段】クリップ本体（２０）と、そのクリップ本体（２０）の把持力を強化するためにクリップ本体（２０）を軸部（１１）へ近づける方向へ付勢させるための補助クリップ（３０）とを備える。その補助クリップ（３０）は、クリップ本体（２０）へ固定するための固定部（３１）と、クリップ本体（２０）へ当接する当接部（３２）と、クリップ本体（２０）を軸部（１１）へ近づける方向へ付勢させるように当接部（３２）を支持する支持部（３３）とを備える。前記固定部（３１）は、当接部（３２）が受ける反発力によって補助クリップ（３０）の固定位置が変わらないようにクリップ本体（２０）へ固定する。【選択図】　　図１
2004130728.tif 000002
【特許請求の範囲】
【請求項１】
筆記具を被固定体へ固定する際に用いられる筆記具用のクリップであって、
筆記具本体の軸部に固定され、軸部との隙間に被固定体を挟むことができるように形成したクリップ本体と、
そのクリップ本体の把持力を強化するためにクリップ本体を軸部へ近づける方向へ付勢させるための補助クリップとを備え、
その補助クリップは、筆記具またはクリップ本体へ固定するための固定部と、
クリップ本体へ当接する当接部と、
クリップ本体を軸部へ近づける方向へ付勢させるように当接部を支持する支持部とを備え、
前記固定部は、当接部が受ける反発力によって補助クリップの固定位置が変わらないように筆記具またはクリップ本体へ固定することとした筆記具用クリップ。
【請求項２】
筆記具を被固定体へ固定する際に用いられる筆記具用のクリップであって、
筆記具本体の軸部に固定され、軸部との隙間に被固定体を挟むことができるように形成したクリップ本体と、
そのクリップ本体の把持力を強化するためにクリップ本体を軸部へ近づける方向へ付勢させるための補助クリップとを備え、
その補助クリップは、筆記具またはクリップ本体へ固定するための固定部と、
クリップ本体へ当接する当接部と、
クリップ本体を軸部へ近づける方向へ付勢させるように当接部を支持する支持部と、
当接部が受ける反発力によって補助クリップの固定位置が変わらないようにするための固定補助部とを備えた筆記具用クリップ。
【請求項３】
補助クリップの支持部は、クリップ本体の意匠面を隠さない位置に配置されるように形成した請求項１または請求項２のいずれかに記載の筆記具用クリップ。
【請求項４】
補助クリップの固定部、支持部および当接部は、一本の線材を曲げ加工して形成した請求項１から請求項３のいずれかに記載の筆記具用クリップ。
【請求項５】
クリップ本体において筆記具本体側に向かって突出するクリップ突起と、前記クリップ突起に対応するクリップ用凹部とを備えた請求項１から請求項４のいずれかに記載の筆記具用クリップ。
【請求項６】
被固定体を挟む空間において筆記具本体とは反対側に向かって突出する突出するクリップ用突起と、クリップ本体における前記クリップ用突起に対応するクリップ凹部とを備えた請求項１から請求項５のいずれかに記載の筆記具用クリップ。
【請求項７】
筆記具本体の軸部に固定され、軸部との隙間に被固定体を挟むことができるように形成したクリップ本体に対して、そのクリップ本体の把持力を強化するためにクリップ本体を軸部へ近づける方向へ付勢させるための補助クリップであって、
その補助クリップは、筆記具本体またはクリップ本体へ固定するための固定部と、
クリップ本体へ当接する当接部と、
クリップ本体を軸部へ近づける方向へ付勢させるように当接部を支持する支持部とを備え、
前記固定部は、当接部が受ける反発力によって補助クリップの固定位置が変わらないように筆記具本体またはクリップ本体へ固定することとした補助クリップ。
【請求項８】
補助クリップの支持部は、クリップ本体の意匠面を隠さない位置に配置されるように形成した請求項７に記載の補助クリップ。
【請求項９】
補助クリップの固定部、支持部および当接部は、一本の線材を曲げ加工して形成した請求項７または請求項８のいずれかに記載の補助クリップ。
【請求項１０】
筆記具を被固定体へ固定する際に用いられる把持力を強化した筆記具用クリップであって、
クリップ本体において筆記具本体側に向かって突出するクリップ突起と、前記クリップ突起に対応するクリップ用凹部とを備えた筆記具用クリップ。
【請求項１１】
筆記具を被固定体へ固定する際に用いられる把持力を強化した筆記具用クリップであって、
被固定体を挟む空間において筆記具本体とは反対側に向かって突出するクリップ用突起と、クリップ本体における前記クリップ用突起に対応するクリップ凹部とを備えた筆記具用クリップ。
【請求項１２】
筆記具を被固定体へ固定する際に用いられる把持力を強化した筆記具用クリップであって、
クリップ本体において筆記具本体側に向かって突出するクリップ突起と、前記クリップ突起に対応するクリップ用凹部と、
被固定体を挟む空間において筆記具本体とは反対側に向かって突出するクリップ用突起と、クリップ本体における前記クリップ用突起に対応するクリップ凹部とを備えた筆記具用クリップ。
【発明の詳細な説明】
【０００１】
【発明が属する技術分野】
本発明は、挟み込む力を強化した筆記具用クリップ、および筆記具用クリップに用いる補助クリップに関するものである。
【０００２】
【先行技術】
筆記具の一部を形成するクリップは、合成樹脂で形成されることが多い。合成樹脂が広く採用される理由は、形状の自由度、色彩の自由度が高いために設計しやすいことが挙げられる。
一方、クリップは一般的には細長く形成されているため、合成樹脂を採用した場合、折れやすい、クリープしてしまう等の問題を有している。また、挟み込む力もそれほど大きくなく、筆記具をノート等に固定してもずれ落ちてしまう等の問題がある。
【０００３】
特許文献検索の結果、関連する先行技術として、実用新案登録第２５０８３８５号公報、実公昭６２−２９２７５号公報、実公昭６３−２３１８８号公報、実公平１−１８３８８号公報などを抽出した。
【０００４】
【特許文献１】
実用新案登録第２５０８３８５号公報
【０００５】
【特許文献２】
実公昭６２−２９２７５号公報
【０００６】
【特許文献３】
実公昭６３−２３１８８号公報
【０００７】
【特許文献４】
実公平１−１８３８８号公報
【０００８】
実用新案登録第２５０８３８５号公報では、クリップ（２）の表面のほぼ全面を覆うバネ材（８）を組み込むことによって、クリップの挟み込む力を補助強化する技術が開示されている。
実公昭６２−２９２７５号公報では、合成樹脂で形成されたクリップ本体（２）には、スリット孔（２１）を射出成形で形成し、板バネ（３）を埋め込む技術が開示されている。
実公昭６３−２３１８８号公報では、圧接玉（６）を備えた棒状のバネ体（５）を、クリップを形成する枠体（１）へ埋め込む技術が開示されている。
実公平１−１８３８８号公報では、クリップ本体（１）の外周に溝（３）を設け、その溝（３）にステンレス製の棒材を曲げ加工して形成した枠体（６）を埋め込む技術が開示されている。
【０００９】
【発明が解決しようとする課題】
まず、実用新案登録第２５０８３８５号公報に記載された技術では、金属製のバネ材（８）の形成に手間が掛かる。すなわち、打ち抜き、プレス、および孔（１０）の形成という工程が必要となる。また、バネ材（８）の取付け部（１１）の寸法管理も正確さを要する。更に、クリップ（２）の表面のほぼ全面をバネ材（８）が覆ってしまうため、デザインの制約を受ける。
【００１０】
実公昭６２−２９２７５号公報に記載された技術では、スリット孔（２１）の溝を射出成形で形成する際、金型の構造上溝幅をある程度大きくとらざるを得ない。この結果、クリップ本体（２）の厚みを大きく確保せざるを得ないため、クリップ全体が厚くなり、デザイン上の制約を受ける。また、板バネ（３）の作製には打ち抜き工程が必要であり、手間を要する。更に、クリップ本体（２）に湾曲したデザインを採用する場合、板バネ（３）もそれに合わせる必要が生じる。
【００１１】
実公昭６３−２３１８８号公報に記載された技術では、バネ体（５）と枠体（１）との一体化が不十分であるため、枠体（１）を拡開させた場合に破損が発生しやすい。
【００１２】
実公平１−１８３８８号公報に記載された技術では、溝（３）に枠体（６）をはめ合わせる組み立て工程に手間を要する。特に、クリップ本体（１）に湾曲したデザインを採用する場合、組み立てや寸法管理等の手間を要する。
【００１３】
本発明が解決しようとする課題は、クリップ本体のデザイン上の制約がなく、製造および組立工程において従来技術よりも手間を軽減し、折れにくく、挟み込む力を強化可能な筆記具用のクリップ関連技術を提供することにある。
【００１４】
【課題を解決するための手段】
本発明は、上記した課題を解決可能な筆記具用クリップおよび筆記具用クリップに用いる補助クリップを提供する。すなわち、請求項１から請求項７にて筆記具用クリップを、請求項８から請求項１０にておよび筆記具用クリップ用補助クリップを提供する。
【００１５】
（請求項１）
請求項１記載の発明は、筆記具を他の被固定体へ固定する際に用いられる筆記具用のクリップに係る。
そのクリップは、筆記具本体（１０）の軸部（１１）に固定され、軸部（１１）との隙間に被固定体（例えば胸ポケット）を挟むことができるように形成したクリップ本体（２０）と、　そのクリップ本体（２０）の把持力を強化するためにクリップ本体（２０）を軸部（１１）へ近づける方向へ付勢させるための補助クリップ（３０）とを備えて形成されている。
その補助クリップ（３０）は、筆記具本体（１０）またはクリップ本体（２０）へ固定するための固定部（３１）と、　クリップ本体（２０）へ当接する当接部（３２）と、　クリップ本体（２０）を軸部（１１）へ近づける方向へ付勢させるように当接部（３２）を支持する支持部（３３）とを備え、　前記固定部（３１）は、当接部（３２）が受ける反発力によって補助クリップ（３０）の固定位置が変わらないように筆記具本体（１０）またはクリップ本体（２０）へ固定することとしている。
【００１６】
（用語説明）
クリップ本体（２０）は、その側面から見た形状が棒状であるものが多いが、その一部
または全体が湾曲して例えばＪ字形をなしていてもよい。また、軸部（１１）とクリップ
（２０）との間に被固定体を挟むのではなく、クリップ（２０）のみで被固定物を挟むものも
含む。例えば、クリップ（２０）を逆Ｕ字形とし、この逆Ｕ字のＵ字内に被固定体を挟む
ことができるようにしたものがある。
支持部（３３）および固定部（３１）は、クリップ本体の両側にある必要はなく、片側でもよい（図２参照）。
固定部（３１）の形態については、筆記具に対して着脱可能であることが望ましいが、着脱不能である形態を排除するものではない。
【００１７】
（作用）
固定部（３１）を用いて、当接部（３２）が受ける反発力によって補助クリップ（３０）の固定位置が変わらないように筆記具本体（１０）またはクリップ本体（２０）へ固定する。すると、当接部（３２）がクリップ本体（２０）へ当接し、その当接部（３２）に対しては支持部（３３）がクリップ本体（２０）を軸部（１１）へ近づける方向へ付勢させる。このため、クリップ本体（２０）の把持力が強化され、反射的にクリップ本体（２０）が折れるなどして破損することが少なくなる。
【００１８】
（請求項２）
請求項２記載の発明もまた、筆記具本体（１０）を他の被固定体へ固定する際に用いられる筆記具用クリップに係る。請求項１記載の筆記具用クリップとの相違点は、当接部（３２）が受ける反発力によって補助クリップ（３０）の固定位置が変わらないようにするための固定補助部（２９）とを備えた点である。
【００１９】
（用語説明）
固定部（３１）および固定補助部（２９）の形態については、例えば以下のようなパターンがある。
第一のパターンの固定補助部（２９）は、補助クリップ（３０）とは別部材にて構成する。固定部（３１）が補助クリップ（３０）を筆記具本体（１０）に対して回動可能に固定する。そして、当接部（３２）がクリップ本体を軸部（１１）へ近づける方向へ付勢させるような弾発力を発生するようなポジションに、固定補助部（２９）を固定する（図５参照）。なお、固定部（３１）を筆記具本体（１０）に対して回動不能に固定することもできる。
第二のパターンの固定補助部（２９）は、クリップ本体（２０）と一体に形成する。形成する場所は、固定部（３１）が補助クリップ（３０）を筆記具本体（１０）に対して回動可能に固定した場合に、当接部（３２）がクリップ本体を軸部（１１）へ近づける方向へ付勢させるような弾発力を発生するようなポジションである。クリップ本体（２０）の形状に応じて、固定補助部（２９）を筆記具本体（１０）と一体に形成するパターンもある。なお、この場合も、固定部（３１）を筆記具本体（１０）に対して回動不能に固定することもできる。
【００２０】
（作用）
固定部（３１）および固定補助部（２９）を用いて、当接部（３２）が受ける反発力によって補助クリップ（３０）の固定位置が変わらないように筆記具本体（１０）またはクリップ本体（２０）へ固定する。すると、当接部（３２）がクリップ本体（２０）へ当接し、その当接部（３２）に対しては支持部（３３）がクリップ本体（２０）を軸部（１１）へ近づける方向へ付勢させる。このため、クリップ本体（２０）の把持力が強化され、反射的にクリップ本体（２０）が折れるなどして破損することが少なくなる。
【００２１】
（請求項３）
請求項３記載の発明は、請求項１または請求項２のいずれかに記載の筆記具用クリップを限定したものであり、
補助クリップ（３０）の支持部（３３）は、クリップ本体（２０）の意匠面を隠さない位置に配置されるように形成した筆記具用クリップに係る。
【００２２】
（用語説明）
クリップ本体（２０）の意匠面とは、クリップ本体（２０）におけるデザイン的に主要な面をいう。平板状のクリップ本体（２０）である場合には、目視可能な平面が主な意匠面となる（図１においてはクリップ正面（２４））。クリップ側面（２５）にもデザイン的な工夫が施されている場合には、補助クリップ（３０）の支持部（３３）は、そのクリップ側面（２５）にもできるだけ緩衝しないように配置するように形成する。
【００２３】
（作用）
補助クリップ（３０）の支持部（３３）がクリップ本体（２０）の意匠面を隠さない位置に配置されるように形成されているので、設計時において、クリップ本体（２０）についての形状、模様、色彩あるいはそれらの組合せによってデザインすることに関して制約が少ない。また、ユーザーによる使用時においても、クリップ本体（２０）のデザインを楽しむことができる。
【００２４】
（請求項４）
請求項４記載の発明は、請求項１から請求項３のいずれかに記載の筆記具用クリップを限定したものであり、
補助クリップ（３０）の固定部（３１，３１）、支持部（３３，３３）および当接部（３２）は、一本の線材を曲げ加工して形成した筆記具用クリップに係る。
【００２５】
（用語説明）
補助クリップ（３０）は、一本の線材を曲げ加工して形成可能であり、且つクリップ本体（２０）または筆記具本体（１０）へ固定された際にはクリップ本体（２０）の把持力が強化されるような弾性変形が可能である材質が要求される。具体的には、例えばステンレス鋼の線材、ピアノ線などである。
【００２６】
（作用）
補助クリップ（３０）は一本の線材を曲げ加工して形成であり、曲げ加工のみで生産できる。このため、比較的簡単に製造できるとともに、高度な加工精度も要求されない。また、複雑な形状の作成も可能である。
更に、筆記具の使用時においても、補助クリップ（３０）が線材であるので、クリップ本体（２０）のデザインをあまり邪魔しない。
【００２７】
（請求項５）
請求項５記載の発明は、請求項１から請求項４のいずれかに記載の筆記具用クリップを限定したものであり、
クリップ本体（２０）において筆記具本体（１０）側に向かって突出するクリップ突起（２３）と、前記クリップ突起（２３）に対応するクリップ用凹部（１５）とを備えた筆記具用クリップに係る。
【００２８】
（用語説明）
クリップ用凹部（１５）とは、周囲に比べてクリップ本体（２０）に向かう面が凹んでいることを意味する。したがって、クリップ突起（２３）を挟むようにして凸部を存在させることによって相対的に凹んでいる場合も、ここにいうクリップ用凹部（１５）に含まれる。なお、筆記具本体（１０）に設けられる場合の他、逆Ｕ字形をしたクリップ本体（２０）に設けられる場合もある。
クリップ突起（２３）およびクリップ用凹部（１５）の組合せは一組に限るものではなく、複数組を形成してもよい。
【００２９】
（作用）
クリップ突起（２３）およびクリップ用凹部（１５）の存在により、クリップ本体（２０）が被固定体（例えば胸ポケット）に食い込み、被固定体（例えば胸ポケット）を把持する力が強化される。
【００３０】
（請求項６）
請求項６記載の発明は、請求項１から請求項５のいずれかに記載の筆記具用クリップを限定したものであり、
被固定体を挟む空間において筆記具本体（１０）とは反対側に向かって突出する突出するクリップ用突起（１２）と、クリップ本体（２０）における前記クリップ用突起（１２）に対応するクリップ凹部（２６）とを備えた筆記具用クリップに係る。
【００３１】
（用語説明）
「クリップ凹部（２６）」は、周囲に比べて筆記具本体（１０）に向かう面が凹んでいることを意味する。また、貫通している孔を形成している場合も含む。
クリップ用突起（１２）は、筆記具本体（１０）に設けられる場合の他、逆Ｕ字形をしたクリップ本体（２０）に設けられる場合もある。
クリップ用突起（１２）およびクリップ凹部（２６）の組合せは一組に限るものではなく、複数組を形成してもよい。
【００３２】
（作用）
クリップ用突起（１２）およびクリップ凹部（２６）の存在により、クリップ本体（２０）が被固定体（例えば胸ポケット）に食い込み、被固定体（例えば胸ポケット）を把持する力が強化される。
【００３３】
（請求項７）
請求項７記載の発明は、筆記具本体（１０）の軸部（１１）に固定され、軸部（１１）との隙間に被固定体を挟むことができるように形成したクリップ本体（２０）に対して、そのクリップ本体（２０）の把持力を強化するためにクリップ本体（２０）を軸部（１１）へ近づける方向へ付勢させるための補助クリップ（３０）に係る。
その補助クリップ（３０）は、筆記具本体（１０）またはクリップ本体（２０）へ固定するための固定部（３１）と、　クリップ本体（２０）へ当接する当接部（３２）と、　クリップ本体（２０）を軸部（１１）へ近づける方向へ付勢させるように当接部（３２）を支持する支持部（３３）とを備え、　前記固定部（３１）は、当接部（３２）が受ける反発力によって補助クリップ（３０）の固定位置が変わらないように筆記具本体（１０）またはクリップ本体（２０）へ固定することとしている。
【００３４】
（作用）
本請求項に係る補助クリップ（３０）は、原則として筆記具に対して着脱自在である。本請求項に係る補助クリップ（３０）が固定可能な筆記具においては、筆記具本体（１０）またはクリップ本体（２０）に設けられた固定部位の寸法などの規格を統一することによって、ヘタってしまった補助クリップ（３０）を交換したり、デザインや挟み込み力の異なる補助クリップ（３０）を使い分けたりすることができる。
【００３５】
（請求項８）
請求項８記載の発明は、請求項７に記載の補助クリップを限定したものであり、
補助クリップ（３０）の支持部（３３）は、クリップ本体（２０）の意匠面を隠さない位置に配置されるように形成した補助クリップ（３０）に係る。
【００３６】
（請求項９）
請求項９記載の発明は、請求項７または請求項８のいずれかに記載の補助クリップを限定したものであり、
補助クリップ（２０）の固定部（３１）、支持部（３３）および当接部（３２）は、一本の線材を曲げ加工して形成した補助クリップ（３０）に係る。
【００３７】
（請求項１０）
請求項１０記載の発明は、前述してきた補助クリップを用いずに、筆記具を被固定体へ固定する際に用いられる把持力を強化した筆記具用クリップに係る。
すなわち、クリップ本体（２０）において筆記具本体（１０）側に向かって突出するクリップ突起（２３）と、前記クリップ突起（２３）に対応するクリップ用凹部（１５）とを備えた筆記具用クリップである。
【００３８】
（請求項１１）
請求項１１記載の発明もまた、補助クリップを用いずに、筆記具を被固定体へ固定する際に用いられる把持力を強化した筆記具用クリップに係る。
すなわち、被固定体を挟む空間において筆記具本体（１０）とは反対側に向かって突出するクリップ用突起（１２）と、クリップ本体（２０）における前記クリップ用突起（１２）に対応するクリップ凹部（２６）とを備えた筆記具用クリップである。
【００３９】
（請求項１２）
請求項１２記載の発明もまた、補助クリップを用いずに、筆記具を被固定体へ固定する際に用いられる把持力を強化した筆記具用クリップに係る。
すなわち、クリップ本体（２０）において筆記具本体（１０）側に向かって突出するクリップ突起（２３）と、前記クリップ突起（２３）に対応するクリップ用凹部（１５）と、
被固定体を挟む空間において筆記具本体（１０）とは反対側に向かって突出するクリップ用突起（１２）と、クリップ本体（２０）における前記クリップ用突起（１２）に対応するクリップ凹部（２６）とを備えた筆記具用クリップである。
【００４０】
【発明の実施の形態】
以下、本発明を実施の形態及び図面に基づいて、更に詳しく説明する。ここで使用する図面は、図１乃至図７である。
【００４１】
（図１）
図１は、着脱自在なキャップ１６によってペン先を保護する筆記具に採用された筆記具用クリップを示す。キャップ１６には、そのキャップ１６との隙間に被固定体（例えば胸ポケット）を挟むことができるように形成したクリップ本体２０と、そのクリップ本体２０の把持力を強化するためにクリップ本体２０をキャップ１６へ近づける方向へ付勢させるための補助クリップ３０とを備えている。
【００４２】
この補助クリップ３０は、ステンレス鋼の棒材を曲げ加工して形成されたものであって、クリップ本体２０へ固定するための固定部３１，３１と、クリップ本体２０へ当接する当接部３２と、　クリップ本体２０をキャップ１６へ近づける方向へ付勢させるように当接部３２を支持する支持部３３，３３とからなる。当接部３２がクリップ本体２０におけるクリップ先端２２側に当接し、その両側には支持部３３，３３が連続してクリップ本体２０の長手方向に沿うような湾曲形状をなす。そして、支持部３３，３３における当接部３２と反対側の端部からは当接部３２方向に向かって折り返されるとともに内側に向かってクランク状に折り曲げられた固定部３１，３１を形成している。この固定部３１，３１は、当接部３２が受ける反発力によって補助クリップ３０の固定位置が変わらないようにクリップ本体２０へ固定することとしている。
【００４３】
クリップ本体２０は、前述の固定部３１，３１を埋設するための補助クリップ固定用孔２１，２１を、キャップ１６との連結部付近に形成している。クリップ本体２０への取り付け作業は、両方の固定部３１，３１を弾性変形させて拡開させ、補助クリップ固定用孔２１，２１へ位置させることによる。当接部３２がクリップ本体２０へ当接すると、支持部３３，３３の湾曲はやや伸びるが、クリップ本体２０をキャップ１６へ近づける方向へ付勢させることとなる。このため、クリップ本体２０の把持力が強化され、反射的にクリップ本体２０が折れるなどして破損することが少なくなる。
【００４４】
クリップ本体２０は、合成樹脂製であり、薄板状をなしている。ここで、補助クリップ３０の当接部３２と当接するクリップ正面２４とし、厚さ方向の面をクリップ側面２５とする。クリップ本体２０は、このクリップ正面２４およびクリップ側面２５の寸法、形状などを限定することによって特徴的なデザインとなる場合が多いが、補助クリップ３０は、クリップ正面２４およびクリップ側面２５のデザイン自由度を著しく妨げるものとはならない。クリップ正面２４においては当接部３２が見えるのみであり、支持部３３，３３をクリップ側面２５から離すことによって見えるようにすることも可能だからである。
【００４５】
クリップ本体２０におけるクリップ先端２２側には、キャップ１６側に向かって突出するクリップ突起２３を備えている。また、キャップ１６においては、クリップ本体２０側に向かって突出するクリップ用突起１２を備えている。このクリップ用突起１２は、前述のクリップ突起２３よりも補助クリップ固定用孔２１寄りに形成されている。クリップ突起２３およびクリップ用突起１２の組合せの存在により、クリップ本体２０が被固定体（例えば胸ポケット）を把持する力が強化される。
【００４６】
（図２）
図２に示す実施形態は、図１に示した実施形態とは、主な相違点が二点ある。
一点目の相違点は、補助クリップ３０の形状である。すなわち、当接部３２の両側に形成していた支持部３３およびその支持部３３に連続して形成される固定部３１を片側だけとし、折り返しただけの当接端部３２ａとしている。この当接端部３２ａが、片側だけになった固定部３１とによってクリップ本体２０を挟み込み、補助クリップ３０をクリップ本体２０へ固定する役割を果たしている。なお、クリップ本体２０に形成されていた補助クリップ固定用孔２１も、片側は省略している。
【００４７】
二点目の相違点は、クリップ先端２２側に形成していたクリップ突起２３の代わりに、キャップ１６側に存在しているクリップ用突起１２に対応するクリップ凹部２６を形成した点である。これらクリップ用突起１２およびクリップ凹部２６による組合せによっても、クリップ本体２０が被固定体（例えば胸ポケット）を把持する力が強化される。
なお、クリップ凹部２６につき、クリップ本体２０を貫通する貫通孔として形成することもできる。そのように形成すれば、当該貫通孔からクリップ凹部２６が見えることとなり、斬新なデザインのクリップを提供できる。
【００４８】
（図３）
図３に示す実施形態は、図１に示した実施形態とは、主な相違点が三点ある。
一点目の相違点は、筆記具の形態である。すなわち、キャップ１６を必要としない、いわゆるノック式の筆記具とした点である。
【００４９】
二点目の相違点は、補助クリップ３０をクリップ本体２０ではなく、筆記具本体１０へ固定することとした点である。すなわち、ノック部１３の採用に伴って筆記具本体１０およびクリップ本体２０のデザインを異ならせ、筆記具本体１０に補助クリップ固定用孔１４，１４を形成している。
【００５０】
三点目の相違点は、クリップ本体２０に設けたクリップ突起２３に対応させて、筆記具本体１０にクリップ用凹部１５を形成した点である。これらクリップ突起２３およびクリップ用凹部１５による組合せによっても、クリップ本体２０が被固定体（例えば胸ポケット）を把持する力が強化される。
【００５１】
（図４）
図４に示す実施形態は、図１に示した実施形態とは、主な相違点が二点ある。
一点目の相違点は、補助クリップ３０の形状である。すなわち、支持部３３，３３が単なる湾曲形状ではなく、波打った形状を採用した点である。この実施形態に限らず、支持部３３，３３や当接部３２の形状を異ならせることによって、斬新なデザインの補助クリップ３０を提供することができる。もちろん、筆記具本体１０に対して斬新なデザインの補助クリップ３０を採用すれば、筆記具そのものにもデザイン上の変化が表れるので、筆記具にデザイン的な変化をもたらせたい場合などに有効である。
【００５２】
二点目の相違点は、クリップ本体２０に、クリップ突起２３を複数設けた点である。キャップ１６側に設けられたクリップ用突起１２を挟むようにクリップ突起２３，２３を形成している。結果としてクリップ突起２３，２３の間は、クリップ凹部２６となる。クリップ突起２３，２３、クリップ凹部２６およびクリップ用突起１２による組合せによれば、クリップ本体２０が被固定体（例えば胸ポケット）を把持する力が、図１の実施形態よりも強化される。
【００５３】
（図５）
図５に示す実施形態は、上述してきた実施形態とは、補助クリップ３０の固定手段を異ならせている。すなわち、補助クリップ３０とは別部材にて固定補助部２９を用意する。補助クリップ３０の固定部３１は、補助クリップ３０を筆記具本体１０に対して回動可能に固定する。そして、当接部３２がクリップ本体２０を筆記具本体１０へ近づける方向へ付勢させるような弾発力を発生するようなポジションに、固定補助部２９を固定しているのである。
【００５４】
図示を省略するが、固定補助部２９を用いる補助クリップ３０の固定手段は、他にもある。まず、固定補助部２９をクリップ本体２０と一体に形成する。形成する場所は、固定部３１が補助クリップ３０を筆記具本体１０に対して回動可能に固定した場合に、当接部３２がクリップ本体を筆記具本体１０へ近づける方向へ付勢させるような弾発力を発生するようなポジションである。
図３のような筆記具を採用した場合においては、固定補助部２９を、クリップ本体２０ではなく筆記具本体１０と一体に形成するパターンもある。
【００５５】
（図６）
図６に示す実施形態は、上述してきた実施形態とは、補助クリップ３０の固定手段を異ならせている。
まず、補助クリップ３０における固定部３１，３１は、支持部３３，３３から折り返したのみの形状とする。その固定部３１，３１に対応させて、クリップ本体２０における補助クリップ固定用孔２１，２１は、固定部３１，３１を差し込める丸筒状に形成する。固定に際しては、支持部３３，３３の湾曲を広げると共に、固定部３１，３１と支持部３３，３３との屈曲角度を広げるようにしながら、固定部３１，３１を補助クリップ固定用孔２１，２１へ差し込むのである。このような補助クリップ３０によっても、クリップ本体２０をキャップ１６へ近づける方向へ付勢させることとなる。このため、クリップ本体２０の把持力が強化される。
なお、細かい点であるが、当接部３２につき、波形の形状を採用している。
【００５６】
（図７）
図７に示す実施形態は、補助クリップを設けることなく、挟み込む力を強化した筆記具用のクリップである。
クリップ本体２０に設けたクリップ突起２３に対応させて、筆記具本体１０にクリップ用凹部１５を形成しており、これらクリップ突起２３およびクリップ用凹部１５による組合せによって、クリップ本体２０が被固定体（例えば胸ポケット）を把持する力が強化されている。
【００５７】
【発明の効果】
請求項１から請求項６によれば、クリップ本体のデザイン上の制約がなく、製造および組立工程において従来技術よりも手間を軽減し、折れにくく、挟み込む力を強化可能な筆記具用のクリップを提供することができた。
請求項７から請求項９によれば、クリップ本体のデザイン上の制約がなく、製造および組立工程において従来技術よりも手間を軽減し、折れにくく、挟み込む力を強化可能な筆記具用クリップの補助クリップを提供することができた。
【図面の簡単な説明】
【図１】第一の実施形態を示す組立斜視図である。
【図２】第二の実施形態を示す組立斜視図である。
【図３】第三の実施形態を示す組立斜視図である。
【図４】第四の実施形態を示す組立斜視図である。
【図５】第五の実施形態を示す斜視図である。
【図６】第六の実施形態を示す斜視図である。
【図７】第七の実施形態を示す斜視図である。
【符号の説明】
１０　　筆記具本体　　　　　　　１１　　軸部
１２　　クリップ用突起　　　　　１３　　ノック部
１４　　補助クリップ固定用孔　　１５　　クリップ用凹部
１６　　キャップ
２０　　クリップ本体　　　　　　２１　　補助クリップ固定用孔
２２　　クリップ先端　　　　　　２３　　クリップ突起
２４　　クリップ正面　　　　　　２５　　クリップ側面
２６　　クリップ凹部　　　　　　２７　　第二突起
２９　　固定補助部
３０　　補助クリップ　　　　　　３１　　固定部
３２　　当接部　　　　　　　　　３２ａ　当接端部
３３　　支持部
【図１】
2004130728.tif 000003
【図２】
2004130728.tif 000004
【図３】
2004130728.tif 000005
【図４】
2004130728.tif 000006
【図５】
2004130728.tif 000007
【図６】
2004130728.tif 000008
【図７】
2004130728.tif 000009